(57)【要約】【課題】電子装置のバッテリー管理方法の提供。【解決手段】電子装置のバッテリー管理方法は、電子装置上のバッテリー４を探知して制御し、電子装置のバッテリー管理方法は、以下のステップを含み、先ず、電子装置内の処理ユニット８は、バッテリー４の残余量と温度を読み取り、次に、処理ユニット８により、バッテリー４の残余量が残余量設定値より高いか否かを判断し、しかも、処理ユニット８は、バッテリー４の温度が温度設定値より高いか否かを判断し、最後に、バッテリー４の残余量が、残余量設定値より高く、しかもバッテリー４の温度が温度設定値より高ければ、処理ユニット８は信号を発し、バッテリー４を制御して、放電を行わせる。【選択図】図３
2011076970.tif 000002
【特許請求の範囲】
【請求項１】
電子装置のバッテリー管理方法において、電子装置上のバッテリーを探知し、制御し、
該管理方法は、以下のステップを含み、
先ず、電子装置内の処理ユニットは、バッテリーの残余量と温度を読み取り、
次に、前記処理ユニットにより、前記残余量が、残余量設定値より高いか否かを判断し、しかも、前記処理ユニットは、前記温度が、温度設定値より高いか否かを判断し、
最後に、前記バッテリーの残余量が、前記残余量設定値より高く、しかも前記バッテリーの温度が、前記温度設定値より高ければ、前記処理ユニットは第一信号を発し、前記バッテリーを制御して、放電を行わせることを特徴とする電子装置のバッテリー管理方法。
【請求項２】
前記電子装置のバッテリー管理方法はさらに、以下のステップを含み、
前記処理ユニットは、電子装置が電源転換ユニットを通して外部電源に連接しているか否かを判断し、
前記処理ユニットが、前記バッテリーの温度が、前記温度設定値より低いと判断すると、前記処理ユニットは、第二信号を発し、前記電源転換ユニットを制御して、外部電源を電子装置が必要とする電圧に転換し、電子装置に対して供給することを特徴とする請求項１に記載の電子装置のバッテリー管理方法。
【請求項３】
前記電子装置のバッテリー管理方法はさらに、以下のステップを含み、
前記処理ユニットは、前記バッテリーの残余量が、残余量設定値より低いと判断すると、前記処理ユニットは、前記第二信号を発し、前記電源転換ユニットを制御して、外部電源を電子装置が必要とする電圧に転換し、電子装置に対して供給することを特徴とする請求項２に記載の電子装置のバッテリー管理方法。
【請求項４】
前記バッテリーは、リチウムイオン電池、或いはリチウム重合物電池の内のいずれかであることを特徴とする請求項１に記載の電子装置のバッテリー管理方法。
【請求項５】
電子装置のバッテリー管理方法において、電子装置上のバッテリーを探知し、制御し、
該管理方法は、以下のステップを含み、
先ず、電子装置内の処理ユニットは、バッテリーの残余量を読み取り、
次に、前記処理ユニットは、前記残余量が対応する温度設定値を判断し、及び前記バッテリーの温度を読み取り、
続いて、前記処理ユニットは、前記バッテリーの温度が、前記温度設定値より高いか否かを判断し、
最後に、前記バッテリーの温度が前記温度設定値より高ければ、前記処理ユニットは、第一信号を発し、バッテリーを制御して放電を行わせることを特徴とする電子装置のバッテリー管理方法。
【請求項６】
前記温度設定値は、温度設定値範囲であることを特徴とする請求項５に記載の電子装置のバッテリー管理方法。
【請求項７】
前記電子装置のバッテリー管理方法はさらに、以下のステップを含み、
前記処理ユニットは、電子装置が電源転換ユニットを通して、外部電源に連接しているか否かを判断し、
前記バッテリーの温度が、前記温度設定値範囲より高ければ、前記処理ユニットは、第一信号を発し、バッテリーを制御して放電を行わせ、
前記処理ユニットが、バッテリーの温度が低いか、或いは前記温度設定値範囲内にあると判断した時には、前記処理ユニットは、第二信号を発し、前記電源転換ユニットを制御して、外部電源を電子装置が必要とする電圧に転換し、電子装置に対して供給することを特徴とする請求項６に記載の電子装置のバッテリー管理方法。
【請求項８】
前記電子装置のバッテリー管理方法はさらに、以下のステップを含み、
前記処理ユニットは、電子装置が電源転換ユニットを通して、外部電源に連接しているか否かを判断し、
前記バッテリーの温度が、前記温度設定値範囲より高いか、或いは範囲内にあれば、前記処理ユニットは、第一信号を発し、バッテリーを制御して放電を行わせ、
前記処理ユニットが、前記バッテリーの温度が、前記温度設定値範囲より低いと判断したなら、前記処理ユニットは、第二信号を発し、前記電源転換ユニットを制御して、外部電源を電子装置が必要とする電圧に転換し、電子装置に対して供給することを特徴とする請求項６に記載の電子装置のバッテリー管理方法。
【請求項９】
前記バッテリーは、リチウムイオン電池、或いはリチウム重合物電池の内のいずれかであることを特徴とする請求項５に記載の電子装置のバッテリー管理方法。
【請求項１０】
電子装置のバッテリー管理方法は、電子装置上のバッテリーを探知し、制御し、
電子装置のバッテリー管理方法は、以下のステップを含み、
先ず、電子装置内の処理ユニットは、バッテリーの温度を読み取り、
次に、前記処理ユニットは、前記温度が対応する残余量設定値を判断し、しかも、前記バッテリーの残余量を読み取り、
続いて、前記処理ユニットは、前記バッテリーの残余量が、前記残余量設定値より高いか否かを判断し、
最後に、前記バッテリーの残余量が、前記残余量設定値より高ければ、前記処理ユニットは、第一信号を発し、バッテリーを制御して放電を行わせることを特徴とする電子装置のバッテリー管理方法。
【請求項１１】
前記温度設定値は、温度設定値範囲であることを特徴とする請求項１０に記載の電子装置のバッテリー管理方法。
【請求項１２】
前記電子装置のバッテリー管理方法はさらに、以下のステップを含み、
前記処理ユニットは、電子装置が電源転換ユニットを通して、外部電源に連接しているか否かを判断し、
前記バッテリーの残余量が、前記残余量設定値より高い時には、前記処理ユニットは第一信号を発し、バッテリーを制御して放電を行わせ、
前記処理ユニットが、前記バッテリーの残余量が、前記残余量設定値範囲より低いか、或いは残余量設定値範囲内にあると判断した時には、前記処理ユニットは、第二信号を発し、前記電源転換ユニットを制御して、外部電源を電子装置が必要とする電圧に転換し、電子装置に対して供給することを特徴とする請求項１１に記載の電子装置のバッテリー管理方法。
【請求項１３】
前記電子装置のバッテリー管理方法はさらに、以下のステップを含み、
前記処理ユニットは、電子装置が電源転換ユニットを通して、外部電源に連接しているか否かを判断し、
前記バッテリーの残余量が、前記残余量設定値より高いか、或いは前記残余量設定値範囲内にあると判断した時には、前記処理ユニットは第一信号を発し、バッテリーを制御して放電を行わせ、
前記処理ユニットが、前記バッテリーの残余量が、前記残余量設定値範囲より低いと判断した時には、前記処理ユニットは、第二信号を発し、前記電源転換ユニットを制御して、外部電源を電子装置が必要とする電圧に転換し、電子装置に対して供給することを特徴とする請求項１１に記載の電子装置のバッテリー管理方法。
【請求項１４】
前記バッテリーは、リチウムイオン電池、或いはリチウム重合物電池の内のいずれかであることを特徴とする請求項１０に記載の電子装置のバッテリー管理方法。
【発明の詳細な説明】
【技術分野】
【０００１】
本発明は電子装置のバッテリー管理方法に関し、特にバッテリーの寿命を延長することができる電子装置のバッテリー管理方法に関する。
【背景技術】
【０００２】
近年、情報家電製品は、コンパクトで携帯の便が良いというニーズに応えようと、コンパクトで軽量が開発のトレンドで、その方向に向かって発展しており、ノート型コンピューター、PDA、携帯電話などの比較的よく目にする製品は、すべてこの流れに沿って開発が進められている。上記した各製品では、使用者がより機動的に製品を応用できるよう、充電式電池を配備し、これにより作業電力を提供可能としている。
【０００３】
ノート型コンピューター１のブロックチャートである図１に示すように、ノート型コンピューター１は、CPU２、バッテリー４、電源転換ユニット６を備える。バッテリー４は、リチウムイオン電池である。電源転換ユニット６は、ACアダプター(AC Adapter)である。CPU２には、処理ユニット８、入力ユニット１０、出力ユニット１２、直流転換ユニット(DC/DC converter)１４、充電ユニット１６を設置する。直流転換ユニット１４には、第一直流転換ユニット１８と第二直流転換ユニット２０を設置する。
【０００４】
CPU２は、バッテリー４と電源転換ユニット６に連接する。電源転換ユニット６は、外部の交流電圧を直流電圧に転換して、その直流電圧を、充電ユニット１６と第二直流転換ユニット２０に提供する。充電ユニット１６は、電源転換ユニット６から提供された直流電圧を受け取り、電源転換ユニット６から提供された直流電圧を、バッテリー４が必要とする電圧と電流に転換し、バッテリー４に対して充電を行う。
【０００５】
バッテリー４は、電圧を第一直流転換ユニット１８に提供する。第一直流転換ユニット１８は、バッテリー４から提供された電圧を受け取り、バッテリー４から提供された電圧を、処理ユニット８、入力ユニット１０、出力ユニット１２が必要な電圧と電流にそれぞれ転換し、処理ユニット８、入力ユニット１０、出力ユニット１２にそれぞれ提供する。入力ユニット１０は、キーボード、マウス、タッチパネルなどで、出力ユニット１２は、モニター、スピーカーなどである。処理ユニット８は、キーボードコントローラー(Keyboard Controller, KBC)、或いはプログラマブルコントロールチップである。
【０００６】
第二直流転換ユニット２０は、電源転換ユニット６から提供された直流電圧を受け取り、電源転換ユニット６から提供された直流電圧を、処理ユニット８、入力ユニット１０、出力ユニット１２が必要な電圧と電流にそれぞれ転換し、処理ユニット８、入力ユニット１０、出力ユニット１２にそれぞれ提供する。
【０００７】
図２に合わせて示すように、従来のノート型コンピューター１のバッテリー４の管理方法は、以下のステップを含む。
S901：ノート型コンピューター１を起動する。
S902：処理ユニット８は、外部電源が存在するか否かを探知する。ノート型コンピューター１が電源転換ユニット６を通して、外部電源と連接していることを処理ユニット８が探知した時には、S902を執行し、探知しなかった時には、S907を執行する。
S903：処理ユニット８は、外部電源からノート型コンピューター１へと電力を供給することを決定する。
S904：処理ユニット８は、バッテリー４の容量を探知し、バッテリー４の容量が飽和状態であるか否かを判断する。バッテリー４の容量が飽和状態であれば、S905を執行する。飽和状態でなければ、S906を執行する。
S905：処理ユニット８は、充電ユニット１６を制御し、充電ユニット１６にバッテリー４に対する充電を停止させ、その後、S902を再執行する。
S906：処理ユニット８は、充電ユニット１６を制御し、充電ユニット１６にバッテリー４に対する充電を行わせ、その後、S904を再執行する。
S907：処理ユニット８は、バッテリー４からノート型コンピューターへと電力を供給することを決定する。
S908：処理ユニット８は、バッテリー４の容量を探知し、バッテリー４の容量が設定値より低いか否かを判断する。バッテリー４の容量が設定値より低ければ、S909を執行する。設定値より低くなければ、S910を執行する。
S909：処理ユニット８は、信号を発し、バッテリー４の容量が少ないことを示し、これによりノート型コンピューター１はスタンバイモードに入る。その後、S901を再執行する。
S910：処理ユニット８は、バッテリー４からノート型コンピューターへの電力供給を継続することを決定する。その後、S902を再執行する。
【０００８】
上記したバッテリー４の管理方法には、以下の欠点が存在する。すなわち、バッテリー４の容量が飽和状態であり、しかもノート型コンピューター１が、電源転換ユニット６を通して外部電源に連接している時、ノート型コンピューター１を長時間使用すると、高熱を発生し、ノート型コンピューター１が発生した高熱は、バッテリー４へと伝わる。これは、バッテリー４を、長時間高温で飽和の状態におくため、バッテリー４の老化が加速し、バッテリー４の使用寿命を縮めてしまう。本発明は、従来の電子装置のバッテリー管理方法の上記した欠点に鑑みてなされたものである。
【発明の概要】
【発明が解決しようとする課題】
【０００９】
本発明が解決しようとする課題は、バッテリーの寿命を延長することができる電子装置のバッテリー管理方法を提供することである。
【課題を解決するための手段】
【００１０】
上記課題を解決するため、本発明は下記の電子装置のバッテリー管理方法を提供する。
電子装置のバッテリー管理方法は、電子装置上のバッテリーを探知し、制御し、
電子装置のバッテリー管理方法は、以下のステップを含み、
先ず、電子装置内の処理ユニットは、バッテリーの残余量を読み取り、
次に、該処理ユニットにより、バッテリーの温度を読み取り、
続いて、該処理ユニットにより、バッテリーの残余量が、残余量設定値より高いか否かを判断し、
しかも、該処理ユニットは、バッテリーの温度が、温度設定値より高いか否かを判断し、最後に、該バッテリーの残余量が、該残余量設定値より高く、しかも該バッテリーの温度が、該温度設定値より高ければ、該処理ユニットは第一信号を発し、該バッテリーを制御して、放電を行わせ、
もう一種の電子装置のバッテリー管理方法は、以下のステップを含み、
先ず、電子装置内の処理ユニットは、バッテリーの残余量を読み取り、
次に、処理ユニットは、該残余量が対応する温度設定値を判断し、及び該バッテリーの温度を読み取り、
続いて、該処理ユニットは、該バッテリーの温度が、該温度設定値より高いか否かを判断し、
最後に、該バッテリーの温度が該温度設定値より高ければ、該処理ユニットは、第一信号を発し、バッテリーを制御して放電を行わせ、
さらにもう一種の電子装置のバッテリー管理方法は、以下のステップを含み、
先ず、電子装置内の処理ユニットは、バッテリーの温度を読み取り、
次に、該処理ユニットは、該温度が対応する残余量設定値を判断し、しかも、該バッテリーの残余量を読み取り、
続いて、該処理ユニットは、該バッテリーの残余量が、該残余量設定値より高いか否かを判断し、
最後に、該バッテリーの残余量が、該残余量設定値より高ければ、該処理ユニットは、第一信号を発し、バッテリーを制御して放電を行わせる。
【発明の効果】
【００１１】
本発明電子装置のバッテリー管理方法は、バッテリーの温度と残余量を探知し、バッテリーの温度が上昇していれば、バッテリーを制御し、残余量設定値まで放電させ、こうしてバッテリーの老化の加速を防止し、これによりバッテリーの寿命を延長することができる。
【図面の簡単な説明】
【００１２】
【図１】ノート型コンピューターのブロックチャートである。
【図２】従来の電池管理方法のブロックチャートである。
【図３】本発明バッテリー管理方法の第一実施例のフローチャートである。
【図４】本発明バッテリー管理方法の第二実施例のフローチャートである。
【図５】本発明バッテリー管理方法の第三実施例のフローチャートである。
【発明を実施するための形態】
【００１３】
以下に図面を参照しながら本発明を実施するための最良の形態について詳細に説明する。
【実施例】
【００１４】
図１、及び本発明バッテリー管理方法の第一実施例のフローチャートである図３に示すように、本発明のバッテリー管理方法は、ノート型コンピューター、PDA、携帯電話などの既存の情報家電製品に運用することができる。ノート型コンピューター１を例として説明すると、本発明バッテリーの管理方法は、以下のステップを含む。
【００１５】
S001：ノート型コンピューター１を起動する。
S002：処理ユニット８は、ノート型コンピューター１が電源転換ユニット６を通して、外部電源と連接しているか否かを判断する。ノート型コンピューター１が外部電源と連接しているなら、S003を執行し、連接していないなら、S002を再執行する。
S003：処理ユニット８は、バッテリー４の残余量を探知し、読み取る。
S004：処理ユニット８は、バッテリー４の温度を探知し、読み取る。
S005：処理ユニット８は、バッテリーの残余量が残余量設定値より高いか否かを判断する。バッテリー４の残余量が、残余量設定値より高いなら、S007を執行し、高くなければ、S006を執行する。
S006：処理ユニット８は、直流転換ユニット１４を制御する。これにより、外部電源は、電源転換ユニット６と第二直流転換ユニット２０を経て転換された後、ノート型コンピューター１へと供給される。
S007：処理ユニット８は、バッテリー４の温度が温度設定値より高いか否かを判断する。バッテリー４の温度が温度設定値より高いなら、S008を執行し、高くなければ、S006を執行する。
S008：処理ユニット８は、直流転換ユニット１４を制御する。これにより、バッテリー４が提供する電源は、第一直流転換ユニット１８を経て転換後、ノート型コンピューター１へと供給され、その後、S002を再執行する。
【００１６】
上記したように、バッテリー４の温度が温度設定値より高く、しかもバッテリー４の残余量が、残余量設定値より高ければ、処理ユニット８は、バッテリー４の温度が温度設定値より低くなるか、或いはバッテリー４の残余量が残余量設定値より低くなるまで、バッテリー４によりノート型コンピューター１へと電力を供給することを決定する。
【００１７】
実際の実施時には、上記したステップのS003とS004とは互換が可能である。上記したステップのS005とS007も互換が可能である。S008の執行が完了後、S003を再執行することができる。
【００１８】
図４は、本発明バッテリー管理方法の第二実施例のフローチャートである。バッテリー４の温度設定値と残余量設定値の対応表である以下の表に合わせて示すように、本発明のバッテリー管理方法の正確性を高めるため、バッテリー４の温度設定値と残余量設定値は、多数の段階に分けることができる。
【表１】
2011076970.tif 000003
【００１９】
本発明の充電管理方法は、以下のステップを含む。
S101：ノート型コンピューター１を起動する。
S102：処理ユニット８は、ノート型コンピューター１が電源転換ユニット６を通して、外部電源と連接しているか否かを判断する。ノート型コンピューター１が外部電源と連接しているなら、S103を執行し、連接していないなら、S102を再執行する。
S103：処理ユニット８は、バッテリー４の残余量を探知し、読み取る。
S104：処理ユニット８は、バッテリー４の残余量が対応する温度設定値の範囲を判断する。例えば、バッテリー４の残余量が90%である時、バッテリー４が対応する温度設定値の範囲は36℃から40℃の間である。
S105:処理ユニット８は、バッテリー４の温度を探知し、読み取る。
S106：処理ユニット８は、バッテリー４の温度が温度設定値の範囲より高いか、或いは温度設定値の範囲内にあるか否かを判断する。バッテリー４の温度が温度設定値の範囲内にあるか、或いは温度設定値の範囲より高いなら、S107を執行し、そうでなければ、S108を執行する。
S107：処理ユニット８は、直流転換ユニット１４を制御する。これにより、バッテリー４が提供する電源は、第一直流転換ユニット１８を経て転換後、ノート型コンピューター１へと供給され、その後、S103を再執行する。
S108：処理ユニット８は、直流転換ユニット１４を制御する。これにより、外部電源は電源転換ユニット６と第二直流転換ユニット２０を経て転換後、ノート型コンピューター１へと供給され、その後、S103を再執行する。
【００２０】
図５は、本発明バッテリー管理方法の第三実施例のフローチャートである。
図５、及びバッテリー４の温度設定値と残余量設定値の対応表に合わせて示すように、本発明のバッテリー管理方法は、以下のステップを含む。
S201：ノート型コンピューター１を起動する。
S202：処理ユニット８は、ノート型コンピューター１が電源転換ユニット６を通して、外部電源と連接しているか否かを判断する。ノート型コンピューター１が外部電源と連接しているなら、S203を執行し、連接していないなら、S202を再執行する。
S203：処理ユニット８は、バッテリー４の温度を探知し、読み取る。
S204：処理ユニット８は、バッテリー４の温度が位置する温度設定値の範囲を判断し、その温度設定値範囲が対応する残余量設定値を判断する。例えば、バッテリー４の温度が44℃である時、バッテリー４が対応する残余量設定値は85%である。
S205:処理ユニット８は、バッテリー４の残余量を探知し、読み取る。
S206：処理ユニット８は、バッテリー４の残余量が残余量設定値より高いか否かを判断する。バッテリー４の残余量が残余量設定値より高いなら、S207を執行し、低ければ、S208を執行する。
S207：処理ユニット８は、直流転換ユニット１４を制御する。これにより、バッテリー４が提供する電源は、第一直流転換ユニット１８を経て転換後、ノート型コンピューター１へと供給され、その後、S203を再執行する。
S208：処理ユニット８は、直流転換ユニット１４を制御する。これにより、外部電源は電源転換ユニット６と第二直流転換ユニット２０を経て転換後、ノート型コンピューター１へと供給され、その後、S203を再執行する。
【００２１】
実際の実施時には、バッテリー４の温度設定値と残余量設定値の対応表は、経験法則により作成し、或いはバッテリー４の温度特性に応じて作成する。バッテリー４の残余量が高ければ高いほど、バッテリー４の温度は低い状態で、こうしてバッテリー４の老化の加速と寿命の短縮を回避することができる。
【００２２】
また、バッテリー４の温度が高ければ高いほど、バッテリー４の残余量は低い状態である。すなわち、本発明のバッテリー管理方法は、バッテリー４の温度と残余量を探知し、バッテリー４の温度が上昇していれば、バッテリー４を制御し、残余量設定値まで放電させ、こうしてバッテリー４の老化の加速を防止し、これによりバッテリー４の寿命を延長することができる。
【００２３】
上記の本発明名称と内容は、本発明技術内容の説明に用いたのみで、本発明を限定するものではない。本発明の精神に基づく等価応用或いは部品（構造）の転換、置換、数量の増減はすべて、本発明の保護範囲に含むものとする。
【産業上の利用可能性】
【００２４】
本発明は特許請求の要件である新規性を備え、従来の同類製品に比べ十分な進歩を有し、実用性が高く、社会のニーズに合致しており、産業上の利用価値は非常に大きい。
【符号の説明】
【００２５】
１  ノート型コンピューター
２  CPU
４  バッテリー
６  電源転換ユニット
８  処理ユニット
１０  入力ユニット
１２  出力ユニット
１４  直流転換ユニット
１６  充電ユニット
１８  第一直流転換ユニット
２０  第二直流転換ユニット
【図１】
2011076970.tif 000004
【図２】
2011076970.tif 000005
【図３】
2011076970.tif 000006
【図４】
2011076970.tif 000007
【図５】
2011076970.tif 000008